(57)【特許請求の範囲】
【請求項１】
シートを搬送するシート搬送部材と、
水平方向を含む方向に延伸している回動軸を中心に第１の開位置と第１の閉位置との間を回動可能に設けられ、前記第１の閉位置に位置している状態では前記シート搬送部材によって搬送されたシートを案内する搬送ガイドと、
鉛直方向を含む方向に延伸している開閉軸を中心に第２の開位置と第２の閉位置との間を回動可能に設けられ、前記搬送ガイドが前記第１の開位置に位置している状態で、前記第２の開位置から前記第２の閉位置に回動することで、前記搬送ガイドを前記第１の開位置から前記第１の閉位置へ向けて移動させる開閉扉と、
前記開閉扉が前記第２の開位置に位置している状態で、前記搬送ガイドを前記第１の閉位置に保持する保持手段と、を備え、
前記保持手段は、前記回動軸と平行な軸を中心に回動可能な第１のフック部材と、前記第１のフック部材を上方に付勢する付勢部材と、を有し、
前記搬送ガイドは、前記開閉扉のガイド面によって案内されて、前記第１のフック部材に係合可能な被係合部を有する、
ことを特徴とするシート搬送装置。
【請求項２】
前記保持手段は、前記開閉扉が前記第２の開位置から前記第２の閉位置に回動することで前記搬送ガイドを前記第１の閉位置で保持し、前記開閉扉が前記第２の閉位置から前記第２の開位置へ回動された場合には前記搬送ガイドを前記第１の閉位置に保持する、
ことを特徴とする請求項１記載のシート搬送装置。
【請求項３】
前記搬送ガイドの一方側の面の少なくとも一部は、第１の搬送路の一部を構成し、前記搬送ガイドの他方側の面の少なくとも一部は、第２の搬送路の一部を構成する、
ことを特徴とする請求項１又は２記載のシート搬送装置。
【請求項４】
前記第１の搬送路は、前記第２の搬送路に対して装置内方に配置され、
前記搬送ガイドは、前記第１の閉位置に位置している状態では、前記第１の搬送路及び前記第２の搬送路の一部をそれぞれ構成し、前記第１の開位置に位置している状態では、前記第１の搬送路を露出させる、
ことを特徴とする請求項３記載のシート搬送装置。
【請求項５】
前記保持手段は、前記搬送ガイドを前記第１の閉位置から前記第１の開位置へ移動させる操作部を有する、
ことを特徴とする請求項１から４のいずれか１項に記載のシート搬送装置。
【請求項６】
前記保持手段は、前記操作部が操作されることで、前記搬送ガイドを前記第１の閉位置から前記第１の開位置へ向けて押圧する押圧部を有する、
ことを特徴とする請求項５記載のシート搬送装置。
【請求項７】
前記回動軸の軸方向において、前記保持手段よりも前記開閉軸から遠い位置に配置され、前記開閉扉が前記第２の開位置から前記第２の閉位置に移動する際に、前記保持手段が前記搬送ガイドを保持した後に前記搬送ガイドを前記第１の閉位置でロックする第２の保持手段を備える、
ことを特徴とする請求項１から６のいずれか１項に記載のシート搬送装置。
【請求項８】
前記第２の保持手段は、前記回動軸と平行な軸を中心に回動可能な第２のフック部材からなり、
前記開閉扉は、前記第２のフック部材と摺動可能なテーパ面を有し、
前記開閉扉が前記第２の閉位置から前記第２の開位置に移動すると、前記第２のフック部材が前記テーパ面に摺動して、前記搬送ガイドのロックを解除する、
ことを特徴とする請求項７記載のシート搬送装置。
【請求項９】
前記開閉扉が前記第２の閉位置から前記第２の開位置に移動する際に、前記テーパ面の下端に対して前記第２のフック部材の前記テーパ面と当接する部分が上方に位置するように、前記第２のフック部材の回動を規制する規制部を備える、
ことを特徴とする請求項８記載のシート搬送装置。
【請求項１０】
前記回動軸は、前記水平方向に延伸しており、前記開閉軸は、前記鉛直方向に延伸している、
ことを特徴とする請求項１から９のいずれか１項に記載のシート搬送装置。
【請求項１１】
請求項１から１０のいずれか１項に記載のシート搬送装置と、
前記シート搬送装置から給送されたシートに画像を形成する画像形成部と、を備えた、
ことを特徴とする画像形成装置。
【発明の詳細な説明】
【技術分野】
【０００１】
本発明は、シートを搬送するシート搬送装置及びこれを備える画像形成装置に関する。
【背景技術】
【０００２】
従来、複数の給送カセットと、これら複数の給送カセットから搬送されたシートを案内する搬送ガイドと、を備えたシート給送装置が提案されている（特許文献１参照）。この搬送ガイドは、回動可能に設けられていると共に、一側面と他側面でそれぞれ別のシート搬送路を構成する。
【０００３】
このシート給送装置は、搬送ガイドにアクセスできるように、装置本体に対して開閉可能に開閉扉が設けられており、搬送ガイド及び開閉扉が開状態の際に、開閉扉を閉じると、開閉扉に押されて搬送ガイドも閉状態となるように構成されている。
【先行技術文献】
【特許文献】
【０００４】
【特許文献１】特開２０１３−２８４６５号公報
【発明の概要】
【発明が解決しようとする課題】
【０００５】
しかしながら、上記特許文献１記載のシート給送装置は、開閉扉が閉状態においては、搬送ガイドは開閉扉に寄りかかった状態で保持されており、開閉扉を開くと、開閉扉と共に自動的に搬送ガイドも開いてしまう。そのため、搬送ガイドに対して開閉扉側に設けられたシート搬送路にシートが滞留した状態で開閉扉を開くと、このシートに対して搬送ガイドが寄りかかり、シートにダメージを与えてしまうことがある。また、開状態となった搬送ガイドが妨げとなって、滞留したシートの処理が困難となる場合があった。
【０００６】
そこで、本発明は、開閉扉が第２の開位置に位置する際に、搬送ガイドを保持手段によって第１の閉位置で保持するように構成し、もって上述した課題を解決したシート搬送装置を提供することを目的とする。
【課題を解決するための手段】
【０００７】
本発明は、シート搬送装置において、シートを搬送するシート搬送部材と、水平方向を含む方向に延伸している回動軸を中心に第１の開位置と第１の閉位置との間を回動可能に設けられ、前記第１の閉位置に位置している状態では前記シート搬送部材によって搬送されたシートを案内する搬送ガイドと、鉛直方向を含む方向に延伸している開閉軸を中心に第２の開位置と第２の閉位置との間を回動可能に設けられ、前記搬送ガイドが前記第１の開位置に位置している状態で、前記第２の開位置から前記第２の閉位置に回動することで、前記搬送ガイドを前記第１の開位置から前記第１の閉位置へ向けて移動させる開閉扉と、前記開閉扉が前記第２の開位置に位置している状態で、前記搬送ガイドを前記第１の閉位置に保持する保持手段と、を備え、前記保持手段は、前記回動軸と平行な軸を中心に回動可能な第１のフック部材と、前記第１のフック部材を上方に付勢する付勢部材と、を有し、前記搬送ガイドは、前記開閉扉のガイド面によって案内されて、前記第１のフック部材に係合可能な被係合部を有する、ことを特徴とする。
【発明の効果】
【０００８】
本発明は、開閉扉を閉じることで搬送ガイドを第１の開位置から第１の閉位置に案内し、開閉扉を開いても保持手段によって搬送ガイドを第１の閉位置で保持可能である。そのため、ジャム処理等のために開閉扉を開閉する際の搬送ガイドの操作性が良好で、かつシート搬送路に滞留したシートに搬送ガイドが倒れ掛かってダメージを与えることを防止できる。また、搬送ガイドを第１の閉位置で保持できるので、シート搬送路に対して開閉扉側に配置されたシート搬送路に滞留したシートのジャム処理性を向上することができる。
【図面の簡単な説明】
【０００９】
【図１】本発明の第１の実施の形態に係るプリンタの全体断面図。
【図２】下段のシート給送装置からシートが給送された際の搬送経路を示す断面図。
【図３】（ａ）は搬送ガイドが閉位置に位置する状態のシート給送装置を示す斜視図。（ｂ）は（ａ）の破線部分の拡大図。
【図４】搬送ガイドが開位置に位置する状態のシート給送装置を示す斜視図。
【図５】（ａ）は搬送ガイドが閉位置に位置する状態のシート給送装置を示す側面図。（ｂ）は（ａ）の左側の破線部分の拡大図。（ｃ）は（ａ）の右側の破線部分の拡大図。
【図６】前フック部材の回動を説明する図であって、（ａ）は前フック部材が搬送ガイドをロックしていない状態を示す斜視図、（ｂ）は前フック部材が搬送ガイドをロックした状態を示す斜視図。
【図７】後フック部材の操作レバー及びロックバネを示す斜視図。
【図８】操作レバーの回動操作を示す図であって、（ａ）は操作レバーを回動する前の斜視図、（ｂ）は回動レバーを回動操作した後の斜視図。
【図９】ガイドカムに後被係合部が摺動する様子を示す図であって、（ａ）はガイドカムが後被係合部に当接した状態の斜視図、（ｂ）はガイドカム上を後被係合部が案内されている状態を示す斜視図。
【図１０】開閉扉、後被係合部及び後フック部材の連動を示す図であって、（ａ）は後フック部材に後被係合部が当接した状態を示す正面図、（ｂ）は後フック部材が後被係合部によって下方に押し下げられた状態を示す正面図。
【図１１】本発明の第２の実施の形態に係る搬送ガイド及び後フック部材を示す図であって、（ａ）は後フック部材が回動していない状態を示す正面図。（ｂ）は後フック部材が回動して搬送ガイドに当接した状態を示す正面図、（ｃ）は後フック部材がさらに回動して搬送ガイドを押圧した状態を示す正面図。
【発明を実施するための形態】
【００１０】
（第１の実施の形態）
まず、本発明の第１の実施の形態について説明する。本実施の形態に係るプリンタ１（画像形成装置）は、４色のトナー像を形成する電子写真方式のレーザビームプリンタである。プリンタ１は、図１に示すように、積載したシートを給送する本体給送部３０と、プリンタ１の本体１Ａの下方にオプションとして装着された２つのシート給送装置５０，５００と、シートに画像を形成する画像形成部１０と、を有している。
【００１１】
プリンタ１に画像形成の指令が出力されると、プリンタ１に接続された外部のコンピュータ等から入力された画像情報に基づいて、画像形成部１０による画像形成プロセスが開始される。画像形成部１０は、スキャナユニット１１と、イエロー（Ｙ）、マゼンタ（Ｍ）、シアン（Ｃ）及びブラック（Ｂｋ）の４色の画像を形成する４つのプロセスカートリッジ１２Ｙ，１２Ｍ，１２Ｃ，１２Ｂｋと、を備えている。なお、４つのプロセスカートリッジ１２Ｙ，１２Ｍ，１２Ｃ，１２Ｂｋは、形成する画像の色が異なること以外は同じ構成であり、プロセスカートリッジ１２Ｙの画像形成プロセスのみを説明し、プロセスカートリッジ１２Ｍ，１２Ｃ，１２Ｂｋの説明は省略する。
【００１２】
スキャナユニット１１は、入力された画像情報に基づいて、プロセスカートリッジ１２Ｙの感光ドラム１３に向けてレーザ光を照射する。このとき感光ドラム１３は、不図示の帯電ローラにより予め帯電されており、レーザ光が照射されることで感光ドラム１３上に静電潜像が形成される。その後、現像ローラ１５により静電潜像が現像され、感光ドラム１３上にイエロー（Ｙ）のトナー像が形成される。
【００１３】
同様にして、プロセスカートリッジ１２Ｍ，１２Ｃ，１２Ｂｋの感光ドラム上にも、マゼンタ（Ｍ）、シアン（Ｃ）及びブラック（Ｂｋ）のトナー像が形成される。各感光ドラム上に形成された各色のトナー像は、一次転写ローラ１６Ｙ，１６Ｍ，１６Ｃ，１６Ｂｋにより中間転写ベルト１７に転写され、Ａ方向に回転する中間転写ベルト１７により二次転写ローラ１８まで搬送される。なお、各色の画像形成プロセスは、中間転写ベルト１７上に一次転写された上流のトナー像に重ね合わせるタイミングで行われる。
【００１４】
上述の画像形成プロセスに並行して、本体給送部３０及びシート給送装置５０，５００から選択的にシートＳが給送される。例えば、本体給送部３０のカセット３１に積載されたシートＳがピックアップローラ３２によって給送されると、シートＳは、フィードローラ３３及びリタードローラ３４によって１枚ずつ分離されて、レジストレーションローラ３５に向けて搬送される。
【００１５】
そして、シートＳは、レジストレーションローラ３５により斜行が補正された上で、トップセンサ３６によって検知されたシートＳの先端の位置に基づいて、所定の搬送タイミングで搬送される。シートＳの第１面（表面）には、二次転写ローラ１８に印加された二次転写バイアスによって、中間転写ベルト１７上のフルカラーのトナー像が転写される。なお、中間転写ベルト１７上に残存した残存トナーは、クリーニング部１９によって回収される。
【００１６】
トナー像が転写されたシートＳは、定着ユニット４１に設けられた加圧ローラ４１ａ及び加熱ローラ４１ｂによって所定の熱及び圧力が付与されて、トナーが溶融固着（定着）される。定着ユニット４１を通過したシートＳは、排出ローラ対４２によって排出トレイ４３に排出される。
【００１７】
シートＳの両面に画像形成する場合には、切換え部材４４によってシートＳが反転ローラ対４５に案内される。シートＳの後端が切換え部材４４を通過すると、反転ローラ対４５が反転すると共に切換え部材４４が駆動し、シートＳは両面搬送路４６に案内される。両面搬送路４６に搬送されたシートＳは、レジストレーションローラ３５まで搬送され、二次転写ローラ１８によって第２面（裏面）にトナー像が形成される。そして、該トナー像が定着ユニット４１によって定着され、第１面及び第２面に画像が形成されたシートＳは、排出ローラ対４２によって、排出トレイ４３に排出される。
【００１８】
次に、シート給送装置５０，５００（シート搬送装置）について、図２を用いて説明する。なお、上段に設けられたシート給送装置５０及び下段に設けられたシート給送装置５００は、同一の構成であるため、シート給送装置５０の構成についてのみ説明し、同一の部材については図に同一符号を付し、説明を省略する。
【００１９】
シート給送装置５０は、シートを積載し筐体５０Ａに対して引出し可能に設けられたカセット５５と、カセット５５に積載されたシートを給送するシート給送部１００（シート搬送部材）と、シートを案内する搬送ガイド５１と、搬送ローラ対４０と、を有する。シート給送部１００は、本体給送部３０と同様に、ピックアップローラ３２と、フィードローラ３３と、リタードローラ３４と、を有する。カセット５５から給送されたシートは、ガイド部材５３及び搬送ガイド５１の第１搬送面５１ｄによって形成された第１の搬送路５４によって、搬送ローラ対４０に案内される。そして、このシートは、搬送ローラ対４０によってレジストレーションローラ３５に向けて搬送される。
【００２０】
下段に設けられたシート給送装置５００からシートが給送された場合には、カセット５５から給送されたシートＳは、搬送ローラ対４０によって、上段に設けられたシート給送装置５０に搬送される。シートＳは、搬送ガイド５１の第２搬送面５１ｆ及び後述する開閉扉５２のガイド部５２ｅによって形成された第２の搬送路６６により、シート給送装置５０の搬送ローラ対４０に案内され、レジストレーションローラ３５に向けて搬送される。
【００２１】
次に、シート給送装置５０の構成について詳述する。シート給送装置５０は、図３に示すように、筐体５０Ａに対して、鉛直方向に延伸する開閉軸６１，６２を中心に開位置（第２の開位置）と閉位置（第２の閉位置）との間を回動可能に設けられた開閉扉５２を有している。開閉扉５２は、閉位置から開位置へ移動されて、図に示すＷ１方向に開くことができる。開閉扉５２は、外装面にハンドル６４（図５参照）が設けられており、ハンドル６４を操作することで、内装面に配置された係合爪６４ａを回動可能に構成されている。なお、開閉軸６１，６２は、必ずしも鉛直方向に延伸する必要が無く、例えば鉛直方向に対して±１０度傾いた鉛直方向を含む方向に延伸していてもよい。
【００２２】
係合爪６４ａは、筐体５０Ａに設けられた扉ストッパ部材６３に係合することで、開閉扉５２を閉じた状態でロックする。また、開閉扉５２は、扉バネ６５によってＷ１方向（開閉扉５２が開く方向）に軽圧で付勢されており、開閉扉５２が閉じた状態でハンドル６４を操作することで、係合爪６４ａの係合が解除され、簡単に開くことができるようになっている。
【００２３】
また、開閉扉５２の内装面には、上記ガイド部５２ｅと、ガイド部５２ｅの一端側に設けられるガイドカム５２ａ（ガイド面）と、ガイド部５２ｅの他端側に設けられるロックカム面５２ｂ（テーパ面）と、を有している。ガイド部５２ｅは、上下方向に櫛状に配置された複数のプレート部材から構成され、搬送ガイド５１の第２搬送面５１ｆと共に第２の搬送路６６を構成する。
【００２４】
ガイドカム５２ａは、中央部が窪む曲面形状に形成されており、ロックカム面５２ｂに対して開閉軸６１，６２に近い側に配置されている。ロックカム面５２ｂは、開閉扉５２が閉じる方向（Ｗ１方向と逆方向）に向けて下方に傾斜するようにテーパ形状を有している。
【００２５】
一方、搬送ガイド５１は、図３に示すように、筐体５０Ａに形成された回動孔５６に貫通し、開閉軸６１，６２に直交する水平方向に配置された回動軸５１ａを有している。搬送ガイド５１は、回動軸５１ａを中心に閉位置（第１の閉位置）と開位置（第１の開位置）との間で回動可能に設けられている。なお、回動軸５１ａは、必ずしも垂直方向に延伸する必要が無く、例えば垂直方向に対して±１０度傾いた鉛直方向を含む方向に延伸していてもよい。
【００２６】
搬送ガイド５１は、閉位置にあって、一方側の面の少なくとも一部は、第１の搬送路５４の一部を構成し、他方側の面の少なくとも一部は、第２の搬送路６６の一部を構成する。そして、搬送ガイド５１は、後述する操作レバー５７ｃ（操作部）が操作されることで、閉位置から開位置に移動する。搬送ガイド５１を開位置に位置させることで、装置内方側に配置される第１の搬送路５４を露出させることができ、例えば第１の搬送路５４に滞留したジャムシートにアクセスすることができる。なお、図３（ａ）は、搬送ガイド５１が閉位置に位置した状態を示し、図４は、搬送ガイド５１が開位置に位置した状態を示す。
【００２７】
搬送ガイド５１は、図４及び図５に示すように、開閉軸６１，６２に近い側の端部に、円筒形状の後被係合部５１ｂ（被係合部）を有しており、第１搬送面５１ｄ及び第２搬送面５１ｆを挟んで反対側の端部に、円筒形状の前被係合部５１ｃを有している。そして、搬送ガイド５１は、筐体５０Ａにそれぞれ設けられた後フック部材５７（第１のフック部材）及び前フック部材５８（第２の保持手段、第２のフック部材）に、後被係合部５１ｂ及び前被係合部５１ｃがロックされることで、閉位置に保持される。前フック部材５８は、回動軸５１ａの軸方向において、後フック部材５７よりも開閉軸６１，６２から遠い位置に配置されている。
【００２８】
前フック部材５８は、図６に示すように、回動軸５１ａと平行に筐体５０Ａに形成された軸７０に回動可能に支持され、前被係合部５１ｃに係合可能な係合部５８ａと、ロックカム面５２ｂに摺動可能な先端部５８ｂ（当接する部分）と、を有している。また、前フック部材５８は、軸７０を中心に自重によって下方に回動するが、先端部５８ｂがロックカム面５２ｂの下端部よりも上方に位置するように、不図示のストッパと当接する規制部５８ｃによって回動規制されている。
【００２９】
後フック部材５７は、図１０、図７に示すように、回動軸５１ａと平行に筐体５０Ａに形成された軸６８に回動可能に支持され、後被係合部５１ｂに当接する当接面５７ａと、後被係合部５１ｂに係合可能な係合部５７ｂと、を有している。また、後フック部材５７は、下方に操作されることで係合部５７ｂと後被係合部５１ｂとの係合を解除し、搬送ガイド５１を閉位置から開位置へ移動させる上記操作レバー５７ｃを有している。後フック部材５７は、軸６８に装着されたロックバネ５９（付勢部材）によって、上方（図７に示す矢印方向）に付勢されており、後フック部材５７及びロックバネ５９は、搬送ガイド５１を閉位置でロックするロック手段６７（保持手段）を構成する。
【００３０】
次に、搬送ガイド５１を閉位置から開位置に移動させる操作について説明する。まず、ハンドル６４を操作して、扉バネ６５の付勢力又はユーザの力によって開閉扉５２を開く。開閉扉５２を開く際に、前フック部材５８は、先端部５８ｂをロックカム面５２ｂに摺動させながら、自重によって下方に回動し、規制部５８ｃによって図６（ａ）に示す位置で位置決めされる。これにより、前フック部材５８の係合部５８ａが搬送ガイド５１の前被係合部５１ｃから離間し、前被係合部５１ｃのロックが解除される。
【００３１】
なお、この状態においては、図２に示す第２の搬送路６６周辺のスペース１１０が大きく確保され、第２の搬送路６６におけるジャム処理を容易に行うことができる。
【００３２】
そして、ユーザは、図８（ａ）に示すように、後フック部材５７の操作レバー５７ｃを下方（Ｗ３方向）に回動操作する。すると、後フック部材５７の係合部５７ｂが搬送ガイド５１の後被係合部５１ｂから離間し、後被係合部５１ｂのロックが解除される。すると、搬送ガイド５１は、自重によって図８（ｂ）に示す下方（Ｗ４方向）に回動する。これにより、図２に示す第１の搬送路５４周辺のシート給送部１００のスペースが大きく確保され、第１の搬送路５４におけるジャム処理を容易に行うことができる。
【００３３】
次に、搬送ガイド５１が開位置にある状態で、開閉扉５２を閉じる際の操作について説明する。ユーザが開閉扉５２を閉じ操作すると、開位置にある搬送ガイド５１の後被係合部５１ｂが、開閉扉５２に形成されたガイドカム５２ａに当接する。ガイドカム５２ａは、開閉扉５２の回動軌跡に沿うように曲線状に形成されており、図９に示すように、開閉扉５２の閉じ動作に伴って後被係合部５１ｂがガイドカム５２ａに案内されて、搬送ガイド５１が閉位置に向かって移動する。なお、開位置にある搬送ガイド５１の後被係合部５１ｂは、ガイドカム５２ａの下端よりも上方に位置決めされている。
【００３４】
そして、搬送ガイド５１が所定量回動すると、図１０に示すように、搬送ガイド５１の後被係合部５１ｂが後フック部材５７の当接面５７ａに当接する。更に搬送ガイド５１が閉位置に向かって回動すると、ロックバネ５９の付勢力に抗して、後被係合部５１ｂが後フック部材５７を下方（Ｗ５方向）に押し下げる。その後、搬送ガイド５１の後被係合部５１ｂが当接面５７ａを乗り越えると、後フック部材５７がロックバネ５９によって上方（Ｗ６方向）に回動し、後フック部材５７の係合部５７ｂによって搬送ガイド５１の後被係合部５１ｂがロックされる。
【００３５】
この状態で開閉扉５２を更に閉じていくと、図６（ａ）に示すように、開閉扉５２に形成されたロックカム面５２ｂが前フック部材５８の先端部５８ｂに当接する。そして、ロックカム面５２ｂによって前フック部材５８がすくい上げられ、先端部５８ｂがロックカム面５２ｂの上部に連続して形成される保持面５２ｆに案内される。図６（ｂ）に示すように、先端部５８ｂが保持面５２ｆに乗り上げた位置では、前フック部材５８の係合部５８ａによって、閉位置に位置する搬送ガイド５１の前被係合部５１ｃがロックされる。そして、開閉扉５２の係合爪６４ａが扉ストッパ部材６３に係合して、開閉扉５２の閉じ操作が完了する。
【００３６】
上述の開閉扉５２の閉じ操作は、搬送ガイド５１が開位置に位置する状態で行ったが、搬送ガイド５１が閉位置に位置する状態であっても、開閉扉５２の閉じ動作は可能である。
【００３７】
本実施の形態では、開閉扉５２を開き操作することで、自動的に前フック部材５８によるロックが解除され、後フック部材５７によってのみ搬送ガイド５１が閉位置でロック（保持）される。そして、後フック部材５７の操作レバー５７ｃをユーザが操作することで、ワンタッチで搬送ガイド５１を閉位置から開位置に移動させることができる。そのため、開閉扉５２が閉じた状態では、搬送ガイド５１を前フック部材５８及び後フック部材５７によって前後で安定的にロックして良好な給送性能を得るものでありながら、簡単に搬送ガイド５１を開くことができ、操作性が良好である。
【００３８】
また、簡易な構成で、搬送ガイド５１を選択的に開閉することが可能であり、第２の搬送路６６に滞留したシートに搬送ガイド５１が倒れ掛かってダメージを与えることを防止でき、かつ第２の搬送路６６に滞留したシートのジャム処理性を向上できる。
【００３９】
また、搬送ガイド５１が開位置に位置する状態であっても、開閉扉５２を閉じ操作するだけで自動的に搬送ガイド５１も閉位置においてロックされ、操作性が良い。
【００４０】
なお、本実施の形態では、前フック部材５８及び後フック部材５７によって搬送ガイド５１をロック可能に構成したが、前フック部材５８を省いて、後フック部材５７によってのみ搬送ガイド５１をロックする構成としてもよい。これにより、部品を削減してコストダウンすることができる。なお、搬送ガイド５１をロックする構成については、フック部材と円筒形状の被係合部に限らず、どのような構成でもよい。
【００４１】
また、本発明は、オプションとして設けたシート給送装置５０，５００に限らず、本体給送部３０や手差し給送装置にも適用可能である。
【００４２】
（第２の実施の形態）
次いで、本発明の第２の実施の形態について説明するが、第１の実施の形態と同様の構成については、図示を省略、又は図に同一符号を付して説明を省略する。シートを案内する搬送ガイド１５１は、図１１に示すように、後被係合部５１ｂと、筐体５０Ａに向けて突出して形成される被押圧部１５１ｇと、を有する。
【００４３】
後フック部材１５７（フック部材）は、後被係合部５１ｂに当接する当接面５７ａ（図１０参照）と、後被係合部５１ｂに係合可能な係合部５７ｂと、操作レバー５７ｃと、押圧部１５７ｄと、を有している。搬送ガイド１５１が閉位置に位置し、搬送ガイド１５１を後フック部材１５７によってロックしている状態では、被押圧部１５１ｇ及び押圧部１５７ｄには一定のクリアランスを設けてある。
【００４４】
本実施の形態は、以上のような構成からなるので、図１１（ｂ）に示すように、操作レバー５７ｃが操作されて後フック部材１５７が矢印方向に回動すると、後フック部材１５７の押圧部１５７ｄが搬送ガイド１５１の被押圧部１５１ｇに当接する。そして、押圧部１５７ｄが被押圧部１５１ｇを押圧することで、搬送ガイド１５１が開位置に向けて移動する。
【００４５】
これにより、設計制約等により搬送ガイド１５１を自重のみでは滑らかに開位置に向けて移動することが困難な場合であっても、搬送ガイド１５１を滑らかに開位置に移動させることができる。
【符号の説明】
【００４６】
１：画像形成装置（プリンタ）、１０：画像形成部、５０，５００：シート搬送装置（シート給送装置）、５１：搬送ガイド、５１ａ：回動軸、５２：開閉扉、５２ａ：ガイド面（ガイドカム）、５２ｂ：テーパ面（ロックカム面）、５４：第１の搬送路、５７，１５７：第１のフック部材（後フック部材）、５７ｃ：操作部（操作レバー）、５８：第２の保持手段，第２のフック部材（前フック部材）、５８ｃ：規制部、５９：付勢部材（ロックバネ）、６１，６２：開閉軸、６６：第２の搬送路、６７：保持手段（ロック手段）、１００：シート給送部、１５７ｄ：押圧部
【図１】
0006614772.tif 000002
【図２】
0006614772.tif 000003
【図３】
0006614772.tif 000004
【図４】
0006614772.tif 000005
【図５】
0006614772.tif 000006
【図６】
0006614772.tif 000007
【図７】
0006614772.tif 000008
【図８】
0006614772.tif 000009
【図９】
0006614772.tif 000010
【図１０】
0006614772.tif 000011
【図１１】
0006614772.tif 000012